(57)【要約】【課題】ホールドオーバー状態においても、同期の精度を保つようにできる基地局を提供すること。【解決手段】他の基地局と同期するための同期信号を処理する基地局１であって、ＧＰＳ衛星から受信した信号および他の基地局から受信した信号の何れかを選択するセレクタ１２と、セレクタ１２で選択された信号に基づいて基準パルスを提供する同期部１０とを備え、ホールドオーバー状態において、セレクタ１２は、他の基地局から受信した信号を選択するように構成する。【選択図】図１
2013153241.tif 000002
【特許請求の範囲】
【請求項１】
他の基地局と同期するための同期信号を処理する基地局であって、
ＧＰＳ衛星から受信した信号および他の基地局から受信した信号の何れかを選択するセレクタと、
前記セレクタで選択された信号に基づいて基準パルスを提供する同期部とを備えたことを特徴とする基地局。
【請求項２】
ホールドオーバー状態において、前記セレクタは、他の基地局から受信した信号を選択することを特徴とする請求項１に記載の基地局。
【発明の詳細な説明】
【技術分野】
【０００１】
本発明は、同期を行う基地局に関する。
【背景技術】
【０００２】
無線通信を行う基地局は、基地局間の同期を確立する場合に、一般にＧＰＳ衛星を用いる。ＧＰＳ衛星から取得可能な、高精度なクロック情報を元に、全ての基地局を動作させる。さらに、ＧＰＳ衛星から取得可能なクロック情報より生成した信号として、一般的に、装置の動作のタイミング信号として扱える「１ＰＰＳ信号」（ＧＰＳ同期信号）がある。
【０００３】
しかし、ＰＨＳ用の基地局では、その１ＰＰＳ信号タイミング信号の精度が重要になる。一方、ＷｉＭＡＸ用の基地局、ＬＴＥ用の基地局においても、無線周波数精度も厳しい規定がされているため、基地局内に、無線周波数精度の根幹となる高精度かつ、メンテナンスフリーの発振器を搭載する必要がある。
【０００４】
そこで、ＧＰＳ衛星からの高精度なクロック情報の、もう一つの使い方として、その高精度なクロック情報をリファレンスとして、発振器出力とＰＬＬを組むことで、発振器の周波数校正を不要にし、長期間の高精度な周波数精度の維持を実現できる。
【０００５】
しかし、ＧＰＳ衛星からのクロック情報は、基地局設置環境の都合上、常時捕捉できるとは保証されてはいない。よって、ＧＰＳ衛星からの高精度なクロック情報の供給が停止した場合（この状態を、「ホールドオーバー」と呼ぶ）においても、継続して、基地局による通信サービスを維持するために、１ＰＰＳ信号の精度と発振器出力（以降、１０ＭＨｚとする）の周波数精度を、通信サービスに影響のない範囲で、維持する必要がある。
【０００６】
ホールドオーバー状態において、基地局は、内部パルスおよび内部周波数信号の精度を所定の範囲内に保たなければならない。これを実現するため、ホールドオーバー状態においては、基地局内の周波数安定度の高い発振器を用いることで、内部パルスおよび内部周波数信号の精度を所定の範囲内に保つ方法が提案されている（例えば、特許文献１参照）。
【先行技術文献】
【特許文献】
【０００７】
【特許文献１】特開２００１−３３９３７３号公報
【発明の概要】
【発明が解決しようとする課題】
【０００８】
ホールドオーバー状態において、１ＰＰＳ信号の精度及び、１０ＭＨｚの周波数精度を維持する対応として、一般的には、周波数精度が高精度であるＯＣＸＯあるいはルビジウム（以降では、ＯＣＸＯ）といった発振器が用いられるが、非常に高価であり、サイズも大きな物となる。
【０００９】
また、ホールドオーバー状態において、ＰＬＬのリファレンスとしているＧＰＳ衛星から取得する高精度なクロック情報がないために、ＯＣＸＯへの制御電圧は一定となり、フリーラン状態となるため、ホールドオーバー時の、１ＰＰＳ信号の精度及び、１０ＭＨｚの周波数精度は、使用するＯＣＸＯのスペックに依存する。そのため、ホールドオーバー時の、維持する精度を高く必要とする程、あるいは、その性能を維持する時間を多く必要とするほど、あるいは、両者を同時に必要とする程、使用するＯＣＸＯは、高精度になり、高価になる。
【００１０】
本発明は、上述した事情に鑑みてなされたものであり、同期の精度を保つようにできる基地局を提供することを目的とする。
【課題を解決するための手段】
【００１１】
本発明の基地局は、他の基地局と同期するための同期信号を処理する基地局であって、ＧＰＳ衛星から受信した信号および他の基地局から受信した信号の何れかを選択するセレクタと、前記セレクタで選択された信号に基づいて基準パルスを提供する同期部とを備えた構成を有している。
【００１２】
本発明の基地局は、ホールドオーバー状態において、前記セレクタは、他の基地局から受信した信号を選択する構成を有している。
【発明の効果】
【００１３】
本発明の基地局は、同期の精度を保つようにできる。
【図面の簡単な説明】
【００１４】
【図１】本発明の実施形態に係る基地局の構成図である。
【図２】本発明の実施形態に係る同期部の構成図である。
【図３】従来の基地局の構成図である。
【図４】従来の同期部の構成図である。
【発明を実施するための形態】
【００１５】
以下、図面を参照して、本発明の実施形態について説明する。
【００１６】
図１は、本発明の一実施形態に係る基地局のブロック図である。基地局１は、同期部１０、ＲＦ部２０、変復調部３０、および制御部４０を有している。例えば、基地局１は、時分割多重方式の通信システムで用いられる。
【００１７】
同期部１０は、ＧＰＳアンテナ２を通じてＧＰＳ衛星からのＧＰＳ信号を受信し、ＧＰＳ同期パルスに同期させた信号である内部パルス（ＧＰＳ＿１ＰＰＳ）および内部周波数信号を基地局１に提供する。
【００１８】
また、同期部１０は、ＲＦ部２０を経由して制御部４０から受信された制御チャネル（ＣＣＨ）を受信し、ＣＣＨに同期させた信号である制御パルス（ＣＣＨ＿１ＰＰＳ）を基地局１に提供する。
【００１９】
ＲＦ部２０は、他の基地局または通信端末から送信された無線信号をアンテナを経由して受信するようになっている。また、ＲＦ部２０は、通信端末に送信するための送信信号をアンテナを経由して送信するようになっている。また、ＲＦ部２０は、同期部１０で提供される同期信号に従って送受信を行うようになっている。
【００２０】
変復調部３０は、ＲＦ部２０が受信した信号を復調して受信データに変換するようになっている。また、変復調部３０は、通信端末に送信するための送信データを変調して送信信号を通信端末に送信するようになっている。
【００２１】
制御部４０は、受信データおよび送信データと共に、基地局１の構成部を制御するようになっている。制御部４０は、制御チャネル（ＣＣＨ）が受信、復調された後、ＣＣＨ＿１ＰＰＳ信号を生成し、ＣＣＨ＿１ＰＰＳ信号を同期部１０に出力するようになっている。
【００２２】
例えば、ＰＨＳの制御チャネル（ＣＣＨ）には、ＣＣＨから取得可能なタイミング情報が含まれており、制御部４０は、タイミング情報をリファレンスすることができる。
【００２３】
図２は、本発明の一実施形態に係る同期部のブロック図である。同期部１０は、ＧＰＳ受信部１１、セレクタ１２、分周器１３、位相比較部１４、フィルタ１５、ＤＡＣ部１６、発振器１７を有している。
【００２４】
ＧＰＳ受信部１１は、ＧＰＳアンテナ２を通じてＧＰＳ衛星からのＧＰＳ信号を受信するようになっている。
【００２５】
セレクタ１２は、ＧＰＳ＿１ＰＰＳおよび制御部４０から送信されたＣＣＨ＿１ＰＰＳを受信し、何れかを選択し、選択したて基準パルス（Ｒｅｆ＿１ＰＰＳ）を位相比較部１４に出力するようになっている。
【００２６】
分周器１３は、発振器１７から受け取った内部周波数信号を１０×１０６分の１に分周して１ＰＰＳ信号である内部パルスを生成し、生成した内部パルスを位相比較部１４および制御部４０に出力するようになっている。
【００２７】
位相比較部１４は、Ｒｅｆ＿１ＰＰＳおよび分周器１３から受け取った内部パルスの位相を比較し、その位相差に比例係数を乗算した信号をフィルタ１５およびＤＡＣ部１６を介して発振器１７に出力する。
【００２８】
フィルタ１５は、信号をフィルタするもので、ＤＡＣ部１６は、デジタル信号をアナログ信号に変換するものである。
【００２９】
発振器１７は、１０ＭＨｚ（メガヘルツ）のパルスを提供するようになっている。また、発振器１７は、上述した位相差の信号に基づいて１０ＭＨｚ（メガヘルツ）のパルスを生成するようになっている。
【００３０】
なお、従来の基地局を図３に示す。基地局１は、同期部９０、ＲＦ部２０、変復調部３０、および制御部４０を有している。従来の基地局の同期部９０を図４に示す。なお、基地局１と同様の構成要素には同一の符号を付している。
【００３１】
図４に示すように、同期部９０には、ＣＣＨ＿１ＰＰＳ信号を選択するセレクタ１２がない。
【００３２】
以上のように構成された基地局１の動作について説明する。
【００３３】
まず、セレクタ１２は、ＧＰＳ＿１ＰＰＳおよび制御部４０から送信されたＣＣＨ＿１ＰＰＳを受信し、ＧＰＳ＿１ＰＰＳを選択する。
【００３４】
次に、基地局１は、ＧＰＳ衛星を捕捉できなくなり、同期部１０（ＦＰＧＡ，ＭＰＵ等）は、ホールドオーバー状態になったことを認識し、ＣＣＨ＿１ＰＰＳに切り替える指示を、セレクタ１２に対して行う。
【００３５】
また、ＧＰＳ衛星を捕捉でき、通常状態に戻った場合には、同期部１０（ＦＰＧＡ，ＭＰＵ等）は、ＧＰＳ＿１ＰＰＳに切り替える指示を、セレクタ１２に対して行う。
【００３６】
以上説明したように、本発明の一実施形態に係る基地局は、ホールドオーバー状態においては、他の基地局が送信するＣＣＨより、タイミング情報を入手し、ＣＣＨ＿１ＰＰＳを使い、そのタイミング情報に同期して動作することにより、ホールドオーバー時の１ＰＰＳ信号の精度及び、１０ＭＨｚの周波数精度を長期間に渡り改善することが可能である。
【符号の説明】
【００３７】
１  基地局
２  ＧＰＳアンテナ
１０、９０  同期部
１１  ＧＰＳ受信部
１２  セレクタ
１３  分周器
１４  位相比較部
１５  フィルタ
１６  ＤＡＣ部
１７  発振器
２０  ＲＦ部
３０  変復調部
４０  制御部
【図１】
2013153241.tif 000003
【図２】
2013153241.tif 000004
【図３】
2013153241.tif 000005
【図４】
2013153241.tif 000006